【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
アクチュエータとバルブ部材を含み、第１の位置と第２の位置の間を移動可能な非常バルブ装置を部分的にストロークする方法であって、
第１の位置から第２の位置へ装置の部分的なストローク移動を開始する工程と、
装置に作用する流体のパラメータを測定する工程と、
測定された流体のパラメータが閾値に達すると、装置の部分的なストローク移動を逆転する工程を含む、方法。
【請求項２】
更に、測定されたパラメータを数学モデルと比較して、非常バルブの作動状態を決定する工程を含む、請求項１に記載の方法。
【請求項３】
測定されたパラメータは、流体圧を含む、請求項１に記載の方法。
【請求項４】
閾値圧力は、大気圧を超える圧力を含む、請求項３に記載の方法。
【請求項５】
測定されたパラメータは、装置から排出される流体の流速を含む、請求項１に記載の方法。
【請求項６】
測定されたパラメータは、装置に供給される流体の流速を含む、請求項１に記載の方法。
【請求項７】
更に、非常バルブを部分的にストロークすることを反復する工程を備え、各部分的なストロークは別個の測定された流体パラメータ閾値を有する、請求項１に記載の方法。
【請求項８】
アクチュエータとバルブ部材を含み、第１の位置と第２の位置の間を移動可能な非常バルブ装置を部分的にストロークする方法であって、
装置に供給されるエネルギを調整することにより、第１の位置から第２の位置へ装置の部分的なストローク移動を開始する工程と、
装置に作用するエネルギを測定する工程と、
測定されたエネルギが閾値レベルに達すると、装置とバルブの部分的なストローク移動を反転する工程を含む、方法。
【請求項９】
装置に作用するエネルギを測定する工程は、電流を測定する工程を含む、請求項８に記載の方法。
【請求項１０】
装置に作用するエネルギを測定する工程は、電圧を測定する工程を含む、請求項８に記載の方法。
【請求項１１】
更に、装置に作用する流体圧を測定する工程を含む、請求項８に記載の方法。
【請求項１２】
更に、測定された圧力を数学モデルと比較して、非常バルブの作動状態を決定する工程を含む、請求項８に記載の方法。
【請求項１３】
更に、非常バルブを部分的にストロークすることを反復する工程を備え、各部分的なストロークは別個の測定された流体パラメータ閾値を有する、請求項８に記載の方法。
【請求項１４】
第１の位置と第２の位置の間を移動可能な非常バルブ装置の作動状態を決定する方法であって、
部分的なストロークテスト時に、装置に作用する圧力を測定する工程と、
部分的なストロークテスト時に、装置に作用する圧力を数学モデルと比較する工程を含む、方法。
【請求項１５】
数学モデルは、非作動状態の装置に基づく、請求項１４に記載の方法。
【請求項１６】
数学モデルは、部分的ストロークテスト時に、一定量を有する装置に基づく、請求項１４に記載の方法。
【請求項１７】
数学モデルとして、以下の式を用いる
【数１】
2011529176.tif 000001
、請求項１６に記載の方法。
【請求項１８】
更に、部分的ストロークテスト時に、装置に作用する圧力が数学モデルから閾値の差以上だけ変化するならば、非常バルブが作動状態であることを決定する工程を備える、請求項１４に記載の方法。
【請求項１９】
非常シャットダウンシステムを部分的にストロークさせる方法であって、
非常シャットダウンシステムは、
アクチュエータとバルブを備え、パイプライン内の流体流路を制御するように構成されて、第１の位置と第２の位置の間を移動可能であり、第２の位置に向けて付勢された非常バルブ装置と、
給電時に、加圧流体供給部と装置間に流体流路を付与して、加圧流体が装置上に作用でき、それによって装置が第１の位置に移動し、給電されないときに、加圧流体供給部と装置間の流体流路を閉じて、装置と圧力開放出口間の流体流路を開いて、装置に作用する加圧流体を開放するソレノイドバルブと、
装置に作用する圧力を測定するように構成された圧力センサを備え、
方法は、
ソレノイドバルブに給電しない工程と、
装置に作用する加圧流体が開放されると、装置に作用する圧力を測定する工程と、
ソレノイドバルブに再び給電して、加圧流体供給部と装置間の流体流路を再び開き、装置と出口間の流体流路を閉じる工程と、
測定された圧力を数学モデルと比較する工程を備える方法。
【請求項２０】
装置に作用する加圧流体が開放されると、装置は第１の位置から第２の位置に動く、請求項１９に記載の方法。
【請求項２１】
更に、測定された圧力が閾値圧力に達すると、ソレノイドバルブに再び給電する工程を備える、請求項２０に記載の方法。
【請求項２２】
閾値圧力は、装置が第２の位置に達する前に、加圧流体供給部と装置間の流路が開くように選択される、請求項２１に記載の方法。
【請求項２３】
測定された圧力を数学モデルと比較する工程は、測定された圧力を、一定量を有する装置に基づいた数学モデルと比較する工程を含む、請求項１９に記載の方法。
【請求項２４】
測定された圧力を数学モデルと比較する工程は、測定された圧力を以下の式と比較する工程を含む、
【数２】
2011529176.tif 000002
、請求項１９に記載の方法。
【請求項２５】
更に、測定された圧力が、数学モデルから閾値の差以上だけ変化するならば、非常バルブが作動状態であることを決定する工程を含む、請求項１９に記載の方法。
【請求項２６】
パイプラインバルブ(101)とアクチュエータ(103)を含み、第１の位置と第２の位置との間を移動可能なバルブ装置と、
給電されたときに、加圧流体供給部(106)と装置間の流体流路を形成するように構成され、且つ給電しない時に装置と圧力開放出口との間に流体流路を形成するように構成されたソレノイドバルブ(105)と、
装置上に作用する流体のパラメータを測定するように構成されたセンサ(111)と、
ソレノイド(105)に選択的にソレノイド給電(110)するように配備された制御手段(107)と、
ソレノイドバルブ(105)からソレノイド給電(110)を外すことによって、パイプラインバルブ(101)の部分的なストロークを開始し、それによってソレノイドバルブ(105)に給電せず、アクチュエータに作用する流体の測定されたパラメータが閾値に達したときに、ソレノイドバルブ(105)に再び給電するテスト手段(109)を備える非常バルブ。
【請求項２７】
測定されたパラメータは、流体圧を含む、請求項２６に記載の非常バルブ。
【請求項２８】
テスト手段(109)は更に、測定された流体圧を数学モデルと比較して、パイプラインバルブ(101)の作動状態を決定するように構成された、請求項２７に記載の非常バルブ。
【請求項２９】
数学モデルは、一定量を有する装置に基づく、請求項２８に記載の非常バルブ。
【請求項３０】
数学モデルは、以下の式を含む
【数３】
2011529176.tif 000003
、請求項２８に記載の非常バルブ。
【請求項３１】
閾値は、大気圧を超える圧力を含む、請求項２８に記載の非常バルブ。
【請求項３２】
測定されたパラメータは、装置から排出された流体の流速を含む、請求項２７に記載の非常バルブ。
【請求項３３】
測定されたパラメータは、装置に付与される流体の流速を含む、請求項２７に記載の非常バルブ。
【請求項３４】
装置は更に、第１の位置に向けて装置を付勢するように構成された付勢手段(104)を含む、請求項２７に記載の非常バルブ。
【請求項３５】
加圧流体供給部(106)は、付勢手段(104)に打ち勝ち、装置を第１の位置に保持するのに十分な圧力を付与することができる、請求項２７に記載の非常バルブ。
【請求項３６】
装置は、ソレノイドバルブ(105)に給電されない後に、第１の位置から第２の位置に移動する、請求項２７に記載の非常バルブ。
【請求項３７】
ソレノイドバルブ(105)に再び給電される地点の所定圧力は、非常バルブの部分的なストローク時に、装置が第２の位置に達しないように選択される、請求項２７に記載の非常バルブ。
【請求項３８】
テスト手段(109)は、パイプラインバルブ(101)の部分的なストロークを反復して開始し、各部分的なストロークは別々の測定された流体パラメータ閾値を含む、請求項２７に記載の非常バルブ。